(57)【要約】【課題】加締めリングを覆うブーツを廃止してコストを低減できる光コネクタを提供する。【解決手段】光コネクタは、光ファイバケーブル１３の光ファイバ１５の先端部４３に接続されたフェルールを収容するハウジングと、光ファイバ１５が内方に挿通されると共にハウジングの後方開口から導出される筒部２３を有してハウジング内に収容される加締めスリーブ２５と、筒部２３に装着された光ファイバケーブル１３の抗張力線３５及び外被３７を固定する加締めリング２９と、を備える。筒部２３の後端面５３には、軸線と同心に穿設された有底の環状溝２７が形成され、環状溝２７内には、環状溝２７の内周壁６１に被せられた光ファイバケーブル１３の抗張力線３５及び外被３７を加締め固定する加締めリング２９が配置される。【選択図】図６
2014044328.tif 000002
【特許請求の範囲】
【請求項１】
光ファイバケーブルにおける光ファイバの先端部に接続されたフェルールを収容するハウジングと、
前記光ファイバが内方に挿通されると共に前記ハウジングの後方開口から導出される筒部を有して前記ハウジング内に収容される加締めスリーブと、
前記筒部に装着された前記光ファイバケーブルの抗張力線及び外被を固定する加締めリングと、を備え、
前記筒部の後端面には、軸線と同心に穿設された有底の環状溝が形成され、
前記環状溝内には、該環状溝の内周壁に被せられた前記光ファイバケーブルの抗張力線及び外被を加締め固定する前記加締めリングが配置されることを特徴とする光コネクタ。
【請求項２】
前記環状溝の内周壁に被せられた前記光ファイバケーブルの抗張力線及び外被が、前記環状溝の外周壁と前記加締めリングとの間に折り返されることを特徴とする請求項１に記載の光コネクタ。
【請求項３】
前記環状溝の外周壁には、前記光ファイバケーブルの抗張力線及び外被に対する保持力を向上させるスリーブ側突起が形成されることを特徴とする請求項２に記載の光コネクタ。
【請求項４】
前記加締めリングには、前記光ファイバケーブルの抗張力線及び外被に対する保持力を向上させるリング側突起が形成されることを特徴とする請求項２又は請求項３に記載の光コネクタ。
【発明の詳細な説明】
【技術分野】
【０００１】
本発明は、光コネクタに関する。
【背景技術】
【０００２】
自動車用等において、光ファイバ相互の接続に使用される光コネクタが知られている（例えば特許文献１参照）。図１２に示すように、この種の光コネクタ５０１は、端部処理により、光ファイバケーブル５０３の芯線である光ファイバ５０５を挿通させる加締めスリーブ５０７、加締めリング５０９、ブーツ５１１が装着された後、光ファイバ５０５の先端にフェルール５１３が組み付けられる。光ファイバ５０５の先端に組み付けられたフェルール５１３は、接着剤等により、光ファイバ５０５に固定される。ハウジング５１５は、フェルール５１３を相手コネクタ側に付勢するバネ部材５１７を備える。バネ部材５１７は、フェルール５１３と共にバネ部材５１７を収容保持するフェルール保持部材５１９によってハウジング５１５に装着される。また、ハウジング５１５にはダストキャップ５２１が装着される。
【０００３】
この光コネクタ５０１では、光ファイバケーブル５０３の外被５２３が皮剥きされて露出した光ファイバ５０５が加締めスリーブ５０７の筒部５２５に挿通される。筒部５２５を貫通した光ファイバ５０５の先端部には、フェルール５１３が固定される。一方、皮剥きされた外被５２３の端末は拡径されて、筒部５２５の外周に被せられる。光ファイバケーブル５０３には予め加締めリング５０９が外挿されており、加締めリング５０９は、筒部５２５に被せられた外被５２３の外側に被せられて加締められる。加締めリング５０９が加締められることで、光ファイバケーブル５０３は、加締めスリーブ５０７に固定される。光ファイバケーブル５０３が固定された加締めスリーブ５０７は、ハウジング５１５に抜け止めされて装着される。ハウジング５１５から導出された加締めスリーブ５０７の筒部５２５は、ハウジング５１５に固定されるブーツ５１１によって覆われる。
【先行技術文献】
【特許文献】
【０００４】
【特許文献１】特開２０１１−２０３６８２号公報
【発明の概要】
【発明が解決しようとする課題】
【０００５】
しかしながら、上述したように光ファイバ５０５を挿通した加締めスリーブ５０７の筒部５２５外周に光ファイバケーブル５０３の外被５２３を被せ、金属製の加締めリング５０９で外皮を固定する光コネクタ５０１の場合、他の電線の傷付きを防止するために加締めリング５０９を覆う樹脂製のブーツ５１１が必要となり、コストアップを招いているという問題があった。
【０００６】
本発明は上記状況に鑑みてなされたもので、その目的は、加締めリングを覆うブーツを廃止してコストを低減できる光コネクタを提供することにある。
【課題を解決するための手段】
【０００７】
本発明に係る上記目的は、下記構成により達成される。
（１）  光ファイバケーブルにおける光ファイバの先端部に接続されたフェルールを収容するハウジングと、前記光ファイバが内方に挿通されると共に前記ハウジングの後方開口から導出される筒部を有して前記ハウジング内に収容される加締めスリーブと、前記筒部に装着された前記光ファイバケーブルの抗張力線及び外被を固定する加締めリングと、を備え、前記筒部の後端面には、軸線と同心に穿設された有底の環状溝が形成され、前記環状溝内には、該環状溝の内周壁に被せられた前記光ファイバケーブルの抗張力線及び外被を加締め固定する前記加締めリングが配置されることを特徴とする光コネクタ。
【０００８】
上記（１）の構成の光コネクタによれば、加締めスリーブの筒部に設けられた環状溝内に配置された加締めリングは、環状溝の外周壁に覆われた状態で、光ファイバケーブルの抗張力線及び外被を加締め固定することができる。そこで、加締めリングが加締めスリーブの外周壁に覆われた光コネクタは、加締めリングを覆うブーツが不要となる。
【０００９】
（２）  上記（１）の構成の光コネクタであって、前記環状溝の内周壁に被せられた前記光ファイバケーブルの先端部における抗張力線及び外被が、前記環状溝の外周壁と前記加締めリングとの間に折り返されることを特徴とする光コネクタ。
【００１０】
上記（２）の構成の光コネクタによれば、加締めリングと共に環状溝内に装着された抗張力線及び外被が、内周壁に加え、環状溝の外周壁とも接触して摩擦力を上げることができるので、加締め前の仮保持力及び加締め後のケーブル保持力が向上する。
【００１１】
（３）  上記（２）の構成の光コネクタであって、前記環状溝の外周壁には、前記光ファイバケーブルの抗張力線及び外被に対する保持力を向上させるスリーブ側突起が形成されることを特徴とする光コネクタ。
【００１２】
上記（３）の構成の光コネクタによれば、スリーブ側突起と抗張力線及び外被との摩擦力が増大して、折返し部が環状溝からより抜けにくくなる。これにより、加締めスリーブによるケーブル保持力を更に向上させることができる。
【００１３】
（４）  上記（２）又は（３）の構成の光コネクタであって、前記加締めリングには、前記光ファイバケーブルの抗張力線及び外被に対する保持力を向上させるリング側突起が形成されることを特徴とする光コネクタ。
【００１４】
上記（４）の構成の光コネクタによれば、リング側突起が抗張力線及び外被を押圧し、加締め前であっても抗張力線、外被及び加締めリングが圧力のかかった状態で環状溝に入り、抗張力線及び外被が簡単に外れなくなる。また、加締め後においても、リング側突起が外被を潰すことで保持力が向上する。これにより、加締めリングによるケーブル保持力を向上させることができる。本構成によれば、打ち出し等の板金加工によって安価に保持力を向上させることができる。
【発明の効果】
【００１５】
本発明に係る光コネクタによれば、加締めリングを覆うブーツを廃止してコストを低減できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】本発明の第１実施形態に係る光コネクタの分解斜視図である。
【図２】（ａ）は図１に示した加締めスリーブを後方側から見た背面図、（ｂ）は（ａ）に示した加締めスリーブの縦断面図である。
【図３】（ａ）はスリーブ側突起が設けられた変形例に係る加締めスリーブの縦断面図、（ｂ）は複数のスリーブ側突起が設けられた他の変形例に係る加締めスリーブの縦断面図である。
【図４】（ａ）は図１に示した加締めスリーブに挿入前の光ファイバケーブルの斜視図、（ｂ）は図１に示した加締めスリーブに加締められた光ファイバケーブルの斜視図である。
【図５】（ａ）は先端部の外被及び抗張力線が折り返された光ファイバケーブルの側面図、（ｂ）は折返し部に加締めリングが挿入された光ファイバケーブルの縦断面図である。
【図６】加締めリングによる加締めが完了した加締めスリーブの縦断面図である。
【図７】本発明の第２実施形態に係る光コネクタの要部分解斜視図である。
【図８】（ａ）は加締めリングのリング側突起の例を表す斜視図、（ｂ）は（ａ）に示した加締めリングの縦断面図である。
【図９】（ａ）は加締めリングのリング側突起の他の例を表す斜視図、（ｂ）は（ａ）に示した加締めリング縦断面図である。
【図１０】図７に示した加締めスリーブに挿入前の光ファイバケーブルの斜視図である。
【図１１】図７に示した加締めリングによる加締めが完了した加締めスリーブの縦断面図である。
【図１２】従来の光コネクタの分解斜視図である。
【発明を実施するための形態】
【００１８】
以下、本発明に係る実施形態を図面を参照して説明する。
第１実施形態に係る光コネクタ１１は、不図示の相手光コネクタと結合することで光ファイバケーブル１３の光ファイバ１５の先端を突き合わせた状態に接続する。これにより、例えば自動車用等における光ファイバ相互を接続する。なお、本明細書中、光コネクタ１１は、相手光コネクタとの結合側（図１の左側）を前、光ファイバケーブル１３の導出側（図１の右側）を後、フェルール保持部材１７が装着される面側（図１の下側）を下、その反対面側（図１の上側）を上として説明する。
【００１９】
図１に示すように、本第１実施形態の光コネクタ１１は、ハウジング１９と、ハウジング１９の後方開口２１から筒部２３が導出される加締めスリーブ２５と、筒部２３に形成される有底の環状溝２７（図２参照）と、加締めリング２９と、を備える。
【００２０】
光コネクタ１１に接続される光ファイバケーブル１３は、光ファイバ素線であるガラス素線３１を内部被覆３３で覆って成る光ファイバ１５と、光ファイバ１５の外側に沿って（縦添えして）設けられる抗張力線３５（図５参照）と、抗張力線３５の外周を覆う外被３７と、で構成される。本実施形態において、光ファイバケーブル１３は２本の光ファイバ１５を有する中空二芯タイプであるが、本発明は中空一芯タイプの光ファイバケーブル１３にも対応が可能となる。
【００２１】
抗張力線３５は、ガラス素線３１の外力(引張り力)による断線を防止している。抗張力線３５は、単線、複数線、編組であってもよい。抗張力線３５としては、ポリ−ｐ−フェニレンテレフタルアミド繊維などのアラミド繊維、ポリアリレート繊維、ポリパラフェニレンベンズビスオキサゾール繊維、ポリエチレンテレフタレート繊維などのポリエステル系繊維、ナイロン繊維などが使用される。
【００２２】
合成樹脂製のハウジング１９は、前方に図示しない相手光コネクタとの結合開口部３９を有し、後壁には後方開口２１である筒部貫通凹部４１が形成される。結合開口部３９の奥側には、光ファイバケーブル１３における光ファイバ１５の先端部４３に接続された一対のフェルール４５が収容される。それぞれのフェルール４５には、光ファイバケーブル１３から外被３７や抗張力線３５が除去されて露出した光ファイバ１５が挿入固定される。
【００２３】
光ファイバ１５の先端は、更に内部被覆３３が除去されてガラス素線３１が露出される。ガラス素線３１は、フェルール４５の先端に設けられる不図示の素線挿通孔に挿入される。フェルール４５は、ハウジング１９内において軸線方向に移動自在に収容され、ハウジング１９に収容される板バネ４７によって前方へ弾性付勢される。この板バネ４７は、フェルール４５と共に板バネ４７を収容保持するフェルール保持部材１７によってハウジング１９に装着され、ハウジング１９からの離脱が防止される。
【００２４】
板バネ４７によって前方へ弾性付勢されるフェルール４５は、ハウジング１９のフェルール収納穴に突設されたストッパ壁に、フェルール４５の円環部４９が当接することで、それ以上の前方への突出が防止される。フェルール４５は、相手光コネクタのフェルール４５と接合端面を以って突き合わせ接続される。これにより、フェルール４５によってコネクタ接続可能に成端された光ファイバ１５が、相手光コネクタの光線路と接続される。
【００２５】
フェルール４５は、相手光コネクタとの突き合わせ時に板バネ４７の弾性変形範囲内で、接続方向後方へ若干押し込まれる。これにより、極度の応力集中による破損等が防止される。そして、板バネ４７の付勢力がフェルール同士間の突き合わせ力として作用して、接続損失が目的の小さな値となって安定するように構成されている。
【００２６】
図２に示すように、加締めスリーブ２５は、合成樹脂材料よりなり、光ファイバ１５が内方に挿通され、ハウジング１９の後方開口２１に形成された筒部貫通凹部４１から導出される上下に潰れた扁平な筒部２３を有する。筒部２３の前方には、矩形状のフランジ部５１が連なった状態に接続して設けられ（連設され）ている。加締めスリーブ２５は、フランジ部５１がハウジング１９の係合部に係止されて強固に抜け止めされた状態で、筒部２３が筒部貫通凹部４１から後方へ導出されてハウジング１９内に収容される。
【００２７】
更に、加締めスリーブ２５は、筒部２３の後端面５３（図２参照）に、筒部２３の軸線Ｘと同心に形成される有底の環状溝２７が形成される。環状溝２７の内側には、環状溝２７に包囲される内側中空軸部５５が更に形成される。内側中空軸部５５には前後に貫通する一対の光ファイバ挿通穴５７が形成されている。一対の光ファイバ挿通穴５７の間には潰れ防止リブ５９が形成され、内側中空軸部５５は光ファイバ挿通穴５７を左右に仕切る隔壁部となった潰れ防止リブ５９によって補強されている。
【００２８】
加締めスリーブ２５の光ファイバ挿通穴５７には、外被３７が裂かれて表出した一対の光ファイバ１５が挿通される。一方、環状溝２７内には、環状溝２７の内周壁６１に被せられた光ファイバケーブル１３の抗張力線３５及び外被３７を加締め固定する加締めリング２９が配置される。抗張力線３５及び外被３７は、内側中空軸部５５の外周である内周壁６１に被せられる。内周壁６１に被せられた抗張力線３５及び外被３７の外側には、更に加締めリング２９が外挿される。そして、抗張力線３５と外被３７とは、加締めリング２９と内周壁６１とに挟まれた状態となる。
【００２９】
図４及び図５に示すように、光ファイバケーブル１３には、光ファイバ１５が導出される外被３７の末端から、光ファイバ１５の軸線に沿う方向で左右一対の外被切り込み６３が切り込み形成されている。光ファイバケーブル１３は、外被切り込み６３が形成されることで、外被３７が上側と下側の外側にそれぞれ折り返される。本実施形態では、外被３７の下層に位置する抗張力線３５も外被３７と共に折り返される。従って、折り返し表面には抗張力線３５が表出される。
環状溝２７の内周壁６１に被せられた抗張力線３５及び外被３７は、環状溝２７の外周壁６５と加締めリング２９との間に折り返される（図６参照）。
【００３０】
加締めリング２９は、図４に示すように、予め光ファイバケーブル１３に通されており、外被切り込み６３を切り込み形成して折り返された外被３７及び抗張力線３５の折返し部６７に、ケーブル後方より移動されて挟み入れられる。
加締めリング２９が挟入された折返し部６７は、図６に示すように、この加締めリング２９と共に加締めスリーブ２５の環状溝２７へ挿入される。環状溝２７に挿入された折返し部６７は、外周壁６５の外側が縮径方向に加締められることで、塑性変形した加締めリング２９によって内側中空軸部５５に加締め固定される。このため、加締めスリーブ２５の材料には、加締め時に破損しない程度の柔軟性を有する合成樹脂が使用される。
【００３１】
尚、加締めスリーブ２５における環状溝２７の外周壁６５には、図３に示すように、光ファイバケーブル１３の抗張力線３５及び外被３７に対する保持力を向上させるスリーブ側突起６９を形成することもできる。スリーブ側突起６９は、図３（ａ）に示すように、外周壁６５から環状溝２７内方に突出する１本の環状の突条に形成される。この突出したスリーブ側突起６９は、折返し部６７の抗張力線３５及び外被３７を押圧し、折返し部６７に対する保持力を高める。また、スリーブ側突起６９は、図３（ｂ）に示すように、軸線Ｘ方向に複数併設されることで、環状溝２７内における折返し部６７の保持力を更に高めることができる。
【００３２】
次に、本第１実施形態に係る光コネクタ１１の作用を説明する。
本第１実施形態の光コネクタ１１では、図４（ａ）に示すように、加締めリング２９が予め外挿された光ファイバケーブル１３の外被３７の端末に外被切り込み６３が形成され、この外被切り込み６３によって、外被３７及び抗張力線３５が外側に折り返されて一対の折返し部６７となる（図５参照）。光ファイバケーブル１３に外挿された加締めリング２９は、そのリング先端部７１で外被３７が折り返されることで、内周側の光ファイバケーブル１３と折り返された外周側の外被３７及び抗張力線３５とに挟まれ、折返し部６７に挟入された状態となる（図４（ｂ）参照）。
【００３３】
この加締めリング２９が挟入された状態の折返し部６７は、図４（ｂ）に示すように、加締めスリーブ２５の筒部２３に形成された環状溝２７に挿入される。環状溝２７に挿入された折返し部６７は、挟入されている加締めリング２９が筒部２３の外側から不図示の加締め治具によって加締められることで、図６に示すように、抗張力線３５及び外被３７が内側中空軸部５５と加締めリング２９とによって加締め固定される。
【００３４】
光ファイバケーブル１３は、一対の折返し部６７の中心側から光ファイバ１５の先端部が導出され、フェルール４５が取り付けられる。このフェルール４５は、フェルール保持部材１７に保持されてハウジング１９に収容される。筒部２３に折返し部６７が固定された加締めスリーブ２５は、筒部２３がハウジング１９の筒部貫通凹部４１から導出されて、筒部先端側のフランジ部５１がハウジング１９に固定される。
【００３５】
光ファイバケーブル１３に引っ張り力が作用すると、抗張力線３５及び外被３７が加締められた筒部２３を介して加締めスリーブ２５にも引っ張り力が作用し、加締めスリーブ２５に作用した引っ張り力は、フランジ部５１を介してハウジング１９に支持される。折返し部６７を環状溝２７から抜こうとする力は、加締めリング２９によって抗張力線３５及び外被３７が固定された内側中空軸部５５によって支持される。これに加え、引っ張り力は、折り返された抗張力線３５及び外被３７と、外周壁６５やスリーブ側突起６９との摩擦によっても支持される。これにより、折返し部６７は、内側中空軸部５５から一層抜けにくくなる。
【００３６】
このように、本第１実施形態の光コネクタ１１によれば、加締めスリーブ２５の筒部２３に設けられた環状溝２７内に配置された加締めリング２９は、環状溝２７の外周壁６５に覆われた状態で、光ファイバケーブル１３の抗張力線３５及び外被３７を加締め固定することができる。そこで、加締めスリーブ２５の外周壁６５が、加締めリング２９を覆って他のワイヤハーネスとの干渉を防ぎ、電線傷つきを防止することができる。その結果、光コネクタ１１は、加締めリング２９を覆うブーツが不要となる。
【００３７】
また、本第１実施形態の光コネクタ１１では、環状溝２７の内周壁６１に被せられた抗張力線３５及び外被３７が、環状溝２７の外周壁６５と加締めリング２９との間に折り返された折返し部６７として加締めリング２９と共に加締めスリーブ２５の環状溝２７へ挿入される。これにより、加締めリング２９と共に環状溝２７内に装着された抗張力線３５及び外被３７が、内周壁６１に加え、環状溝２７の外周壁６５とも接触して摩擦力を上げることができるので、加締め前の仮保持力及び加締め後のケーブル保持力が向上する。
【００３８】
更に、図３に示したように、環状溝２７の外周壁６５にスリーブ側突起６９を設けた加締めスリーブ２５によれば、抗張力線３５及び外被３７との摩擦力が増大して、折返し部６７が環状溝２７からより抜けにくくなる。これにより、ケーブル保持力を更に向上させることができる。
【００３９】
次に、本発明の第２実施形態に係る光コネクタ７３について説明する。
なお、上述した第１実施形態の光コネクタ１１と同等の部材には同一の符号を付し、重複する説明は省略するものとする。
図７に示すように、第２実施形態に係る光コネクタ７３（ハウジング１９、フェルール４５、フェルール保持部材１７、板バネ４７は図１参照）は、加締めリング７５に、光ファイバケーブル１３の抗張力線３５及び外被３７に対する保持力を向上させるリング側突起７７が形成されている。このリング側突起７７は、加締めリング７５の半径方向外側に打ち出し加工によって形成される。
【００４０】
本第２実施形態のリング側突起７７は、図７に示すように、半径方向外側に突出する１本の環状の突条に形成される。また、図８（ａ），（ｂ）に示す加締めリング７５Ａのように、リング側突起７７Ａは、軸線Ｘ方向に複数併設された突条でもよい。更に、図９（ａ），（ｂ）に示す加締めリング７５Ｂように、リング側突起７７Ｂは、半径方向外側に打ち出し加工によって複数突設された円錐形や半球状等の突起でもよい。他の構成は、上記第１実施形態の光コネクタ１１と同じである。
【００４１】
次に、本第２実施形態に係る光コネクタ７３の作用を説明する。
本第２実施形態の光コネクタ７３では、図１０に示すように、加締めリング７５が予め光ファイバケーブル１３に通されており、外被切り込み６３を切り込み形成して折り返された外被３７及び抗張力線３５による一対の折返し部６７に、ケーブル後方より移動されて挟み入れられる。
即ち、上記第１実施形態に係る光コネクタ１１と同様に、図１１に示すように、加締めスリーブ２５の外周壁６５が、加締めリング７５を覆って他のワイヤハーネス等との干渉を防ぐことができるので、光コネクタ７３は、加締めリング７５を覆うブーツが不要となる。
【００４２】
そして、リング側突起７７が抗張力線３５及び外被３７を押圧し、加締め前であっても抗張力線３５、外被３７及び加締めリング７５が圧力のかかった状態で環状溝２７に入り、簡単に抗張力線３５及び外被３７が簡単に外れなくなる。
また、加締め後においても、リング側突起７７が外被３７を潰すことで保持力が向上する。これにより、加締めリング７５によるケーブル保持力を向上させることができる。本構成によれば、加締めリング７５に対する打ち出し等の板金加工によって、安価に保持力を向上させることができる。
【００４３】
従って、上記第１及び第２実施形態に係る光コネクタ１１，７３によれば、加締めスリーブ２５に加締め固定された加締めリング２９，７５を覆うブーツを廃止してコストを低減できる。但し、加締めスリーブ２５の筒部２３の後方から導出された光ファイバケーブル１３の過度の屈曲を防止するため、該光ファイバケーブル１３を覆う保護カバーを必要に応じて装着することもできる。
なお、本発明に係る光コネクタは、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００４４】
１１…光コネクタ
１３…光ファイバケーブル
１５…光ファイバ
１９…ハウジング
２１…後方開口
２３…筒部
２５…加締めスリーブ
２７…環状溝
２９…加締めリング
３５…抗張力線
３７…外被
４３…先端部
４５…フェルール
５３…後端面
６１…内周壁
６５…外周壁
６９…スリーブ側突起
７７…リング側突起
【図１】
2014044328.tif 000003
【図２】
2014044328.tif 000004
【図３】
2014044328.tif 000005
【図４】
2014044328.tif 000006
【図５】
2014044328.tif 000007
【図６】
2014044328.tif 000008
【図７】
2014044328.tif 000009
【図８】
2014044328.tif 000010
【図９】
2014044328.tif 000011
【図１０】
2014044328.tif 000012
【図１１】
2014044328.tif 000013
【図１２】
2014044328.tif 000014